(57)【要約】【課題】発光素子を発光させる駆動電圧とドライブスキャナを駆動させるスキャナ駆動電圧とを互いに独立とし、消費電力の低減を図ることが可能な駆動回路、表示装置、および電子機器を提供する。【解決手段】発光素子と、第２端子が発光素子に接続され制御端子に印加される電圧信号および第１端子に印加される駆動信号に基づいて電圧信号に応じた発光電流を発光素子へ印加するトランジスタとを備える画素がマトリクス状に配置された表示部に駆動信号を印加する駆動回路であって、第１レベルの電圧と第１レベルの電圧よりも電圧レベルが低い第２レベルの電圧とを供給する第１電源と、第２レベルの電圧よりも電圧レベルが高い第３レベルの電圧を供給する第２電源と、第１レベルの電圧、第２レベルの電圧、および第３レベルの電圧が供給され、第２レベルの電圧または第３レベルの電圧を駆動信号として選択的に出力するバッファとを備える駆動回路が提供される。【選択図】図９
2009128524.tif 000002
【特許請求の範囲】
【請求項１】
電流量に応じて自発光する発光素子と、第２端子が前記発光素子に接続され制御端子に印加される電圧信号および第１端子に印加される駆動信号に基づいて前記電圧信号に応じた量の発光電流を前記発光素子へ印加するトランジスタとを備える画素がマトリクス状に配置された表示部の前記画素それぞれに前記駆動信号を印加する駆動回路であって：
第１レベルの電圧と、前記第１レベルの電圧よりも電圧レベルが低い第２レベルの電圧とを供給する第１電源と；
前記第２レベルの電圧よりも電圧レベルが高い第３レベルの電圧を供給する第２電源と；
前記第１レベルの電圧、前記第２レベルの電圧、および前記第３レベルの電圧が供給され、前記第１レベルの電圧および前記第２レベルの電圧により駆動し、前記第２レベルの電圧または前記第３レベルの電圧を前記駆動信号として選択的に出力するバッファと；
を備えることを特徴とする、駆動回路。
【請求項２】
前記バッファは、
第１端子が前記第２電源に接続され、制御端子に印加される前記第１レベルの電圧または前記第２レベルの電圧に応じて、前記第３レベルの電圧を選択的に第２端子から出力する第１バッファトランジスタと；
前記第１バッファトランジスタと逆導電型であり、第１端子に前記第２レベルの電圧が印加され、制御端子に印加される前記第１レベルの電圧または前記第２レベルの電圧に応じて、前記第２レベルの電圧を選択的に第２端子から出力する第２バッファトランジスタと；
を備えることを特徴とする、請求項１に記載の駆動回路。
【請求項３】
電流量に応じて自発光する発光素子と、第２端子が前記発光素子に接続され制御端子に印加される電圧信号および第１端子に印加される駆動信号に基づいて前記電圧信号に応じた量の発光電流を前記発光素子へ印加するトランジスタとを備える画素がマトリクス状に配置された表示部と；
第１レベルの電圧と、前記第１レベルの電圧よりも電圧レベルが低い第２レベルの電圧とを供給する第１電源と；
前記第２レベルの電圧よりも電圧レベルが高い第３レベルの電圧を供給する第２電源と；
前記第１レベルの電圧、前記第２レベルの電圧、および前記第３レベルの電圧が供給され、前記第１レベルの電圧および前記第２レベルの電圧により駆動し、前記表示部の前記画素それぞれに前記第２レベルの電圧または前記第３レベルの電圧を前記駆動信号として選択的に印加する駆動信号印加部と；
を備えることを特徴とする、表示装置。
【請求項４】
電流量に応じて自発光する発光素子と、第２端子が前記発光素子に接続され制御端子に印加される電圧信号および第１端子に印加される駆動信号に基づいて前記電圧信号に応じた量の発光電流を前記発光素子へ印加するトランジスタとを備える画素がマトリクス状に配置された表示部と；
第１レベルの電圧と、前記第１レベルの電圧よりも電圧レベルが低い第２レベルの電圧とを供給する第１電源と；
前記第２レベルよりも電圧レベルが高い第３レベルの電圧を供給する第２電源と；
前記第１レベルの電圧、前記第２レベルの電圧、および前記第３レベルの電圧が供給され、前記第１レベルの電圧および前記第２レベルの電圧により駆動し、前記表示部の前記画素それぞれに前記第２レベルの電圧または前記第３レベルの電圧を前記駆動信号として選択的に印加する駆動信号印加部と；
を備えることを特徴とする、電子機器。
【発明の詳細な説明】
【技術分野】
【０００１】
本発明は、駆動回路、表示装置、および電子機器に関する。
【背景技術】
【０００２】
近年、ＣＲＴディスプレイ（Cathode  Ray  Tube  display）に替わる表示装置として、有機ＥＬディスプレイ（organic  ElectroLuminescence  display；または、ＯＬＥＤディスプレイ（Organic  Light  Emitting  Diode  display）とも呼ばれる。）、ＦＥＤ（Field  Emission  Display；電界放出ディスプレイ）、ＬＣＤ（Liquid  Crystal  Display；液晶ディスプレイ）、ＰＤＰ（Plasma  Display  Panel；プラズマディスプレイ）、プロジェクターなど様々な表示装置が開発されている。
【０００３】
上記のような様々な表示装置のうち、有機ＥＬディスプレイは、エレクトロルミネッセンス現象（ElectroLuminescence）を利用した自発光型の表示装置であり、例えば、ＬＣＤのような別途光源を必要とする表示装置と比較すると、動画特性、視野角特性、色再現性などが優れていることから、次世代の表示装置として特に注目されている。ここで、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【０００４】
このような中、自発光型の表示装置に係る様々な技術が開発されている。発光素子の特性変動およびトランジスタの閾電圧変動に対する補償機能を付加した画素回路に係る技術としては、例えば、特許文献１が挙げられる。
【０００５】
【特許文献１】特開２００５−３４５７２２号公報
【発明の開示】
【発明が解決しようとする課題】
【０００６】
発光素子の特性変動およびトランジスタの閾電圧変動に対する補償機能を付加した画素回路に係る従来の技術では、発光素子を駆動させる駆動電圧を印加する電源が設けられ、画素回路には、発光素子と、当該電源を発光素子に接続するスイッチの役目を果たすトランジスタが設けられる。また従来の技術に係る画素回路は、上記トランジスタの制御端子が電源供給線に接続され、当該電源供給線にドライブスキャナから出力されるハイレベル／ローレベルの駆動信号が印加される構成を有する。しかしながら、画素回路の構成は、上記に限られず、例えば、上記電源から印加される駆動電圧と、ドライブスキャナから出力される駆動信号とを一体とし、さらに上記スイッチ（トランジスタ）を削減する構成、すなわち、画素回路が備えるトランジスタ数をより少なくした構成をとることもできる。
【０００７】
画素回路を上記のような構成とした場合において、例えば、材料の変更などにより発光素子の発光駆動電圧が低くなったとき、ドライブスキャナから出力されるハイレベルの駆動信号の電圧の大きさを発光素子の発光駆動電圧に合わせて小さくすることが、消費電力を低減する観点から有効である。しかしながら、上記ハイレベルの駆動信号は、ドライブスキャナを構成するスキャナ回路のスキャナ駆動電圧でもあるため、ハイレベルの駆動信号の電圧の大きさを発光素子の発光駆動電圧に合わせて小さくすると、ドライブスキャナのスキャナ駆動能力（応答速度など）が低下し、さらには、ドライブスキャナが機能を停止してしまう可能性がある。
【０００８】
本発明は、上記問題に鑑みてなされたものであり、本発明の目的とするところは、発光素子を発光させるための駆動電圧とドライブスキャナを駆動させるためのスキャナ駆動電圧とを互いに独立とし、消費電力の低減を図ることが可能な、新規かつ改良された駆動回路、表示装置、および電子機器を提供することにある。
【課題を解決するための手段】
【０００９】
上記目的を達成するために、本発明の第１の観点によれば、電流量に応じて自発光する発光素子と、第２端子が上記発光素子に接続され制御端子に印加される電圧信号および第１端子に印加される駆動信号に基づいて上記電圧信号に応じた量の発光電流を上記発光素子へ印加するトランジスタとを備える画素がマトリクス状に配置された表示部の上記画素それぞれに上記駆動信号を印加する駆動回路であって、第１レベルの電圧と、上記第１レベルの電圧よりも電圧レベルが低い第２レベルの電圧とを供給する第１電源と、上記第２レベルの電圧よりも電圧レベルが高い第３レベルの電圧を供給する第２電源と、上記第１レベルの電圧、上記第２レベルの電圧、および上記第３レベルの電圧が供給され、上記第１レベルの電圧および上記第２レベルの電圧により駆動し、上記第２レベルの電圧または上記第３レベルの電圧を上記駆動信号として選択的に出力するバッファとを備える駆動回路が提供される。
【００１０】
上記第１レベルの電圧と上記第２レベルの電圧とは、例えば、ドライブスキャナを構成するバッファを駆動させるためのスキャナ駆動電圧として用いることができ、また、上記第３レベルの電圧は、例えば、各画素が備える発光素子を駆動させるための駆動電圧として用いることができる。かかる構成により、発光素子を発光させるための駆動電圧（第３レベルの電圧）とドライブスキャナを駆動させるためのスキャナ駆動電圧（第１レベルの電圧、第２レベルの電圧）とを互いに独立として消費電力の低減を図ることができる。
【００１１】
また、上記バッファは、第１端子が上記第２電源に接続され、制御端子に印加される上記第１レベルの電圧または上記第２レベルの電圧に応じて、上記第３レベルの電圧を選択的に第２端子から出力する第１バッファトランジスタと、上記第１バッファトランジスタと逆導電型であり、第１端子に上記第２レベルの電圧が印加され、制御端子に印加される上記第１レベルの電圧または上記第２レベルの電圧に応じて、上記第２レベルの電圧を選択的に第２端子から出力する第２バッファトランジスタとを備えてもよい。
【００１２】
かかる構成により、第２レベルの電圧または第３レベルの電圧を駆動信号として選択的に出力することができる。
【００１３】
また、上記目的を達成するために、本発明の第２の観点によれば、電流量に応じて自発光する発光素子と、第２端子が上記発光素子に接続され制御端子に印加される電圧信号および第１端子に印加される駆動信号に基づいて上記電圧信号に応じた量の発光電流を上記発光素子へ印加するトランジスタとを備える画素がマトリクス状に配置された表示部と、第１レベルの電圧と、上記第１レベルの電圧よりも電圧レベルが低い第２レベルの電圧とを供給する第１電源と、上記第２レベルの電圧よりも電圧レベルが高い第３レベルの電圧を供給する第２電源と、上記第１レベルの電圧、上記第２レベルの電圧、および上記第３レベルの電圧が供給され、上記第１レベルの電圧および上記第２レベルの電圧により駆動し、上記表示部の上記画素それぞれに上記第２レベルの電圧または上記第３レベルの電圧を上記駆動信号として選択的に印加する駆動信号印加部とを備える表示装置が提供される。
【００１４】
上記駆動信号印加部は、例えば、表示装置において表示部の各画素に駆動信号を印加するドライブスキャナとして機能することができる。また、上記第１レベルの電圧と上記第２レベルの電圧とは、例えば、ドライブスキャナ（駆動信号印加部）を駆動させるためのスキャナ駆動電圧として用いることができ、上記第３レベルの電圧は、例えば、表示部の各画素が備える発光素子を駆動させるための駆動電圧として用いることができる。かかる構成により、発光素子を発光させるための駆動電圧とドライブスキャナを駆動させるためのスキャナ駆動電圧とを互いに独立として消費電力の低減を図ることができる。
【００１５】
また、上記目的を達成するために、本発明の第３の観点によれば、電流量に応じて自発光する発光素子と、第２端子が上記発光素子に接続され制御端子に印加される電圧信号および第１端子に印加される駆動信号に基づいて上記電圧信号に応じた量の発光電流を上記発光素子へ印加するトランジスタとを備える画素がマトリクス状に配置された表示部と、第１レベルの電圧と、上記第１レベルの電圧よりも電圧レベルが低い第２レベルの電圧とを供給する第１電源と、上記第２レベルよりも電圧レベルが高い第３レベルの電圧を供給する第２電源と、上記第１レベルの電圧、上記第２レベルの電圧、および上記第３レベルの電圧が供給され、上記第１レベルの電圧および上記第２レベルの電圧により駆動し、上記表示部の上記画素それぞれに上記第２レベルの電圧または上記第３レベルの電圧を上記駆動信号として選択的に印加する駆動信号印加部とを備える電子機器が提供される。
【００１６】
上記駆動信号印加部は、例えば、電子機器において表示部の各画素に駆動信号を印加するドライブスキャナとして機能することができる。また、上記第１レベルの電圧と上記第２レベルの電圧とは、例えば、ドライブスキャナ（駆動信号印加部）を駆動させるためのスキャナ駆動電圧として用いることができ、上記第３レベルの電圧は、例えば、表示部の各画素が備える発光素子を駆動させるための駆動電圧として用いることができる。かかる構成により、発光素子を発光させるための駆動電圧とドライブスキャナを駆動させるためのスキャナ駆動電圧とを互いに独立として消費電力の低減を図ることができる。
【発明の効果】
【００１７】
本発明によれば、発光素子を発光させるための駆動電圧とドライブスキャナを駆動させるためのスキャナ駆動電圧とを互いに独立として消費電力の低減を図ることができる。
【発明を実施するための最良の形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
（従来の表示装置）
本発明の実施形態に係る表示装置について説明する前に、従来の表示装置の構成とその問題について説明する。
【００２０】
図１は、従来の表示装置１０を示す説明図であり、入力された画像信号に応じた画像を表示する表示パネル部分を示している。
【００２１】
図１を参照すると、表示装置１０は、表示部１２と、水平セレクタ１４と、ライトスキャナ１６と、ドライブスキャナ１８と、共通電源２０とを備える。
【００２２】
また、表示装置１０は、例えば、ＭＰＵ（Micro  Processing  Unit）などで構成され表示装置１０全体を制御することが可能な制御部（図示せず）や、制御部が使用するプログラムや演算パラメータなどの制御用データが記録されたＲＯＭ（Read  Only  Memory；図示せず）、制御部により実行されるプログラムなどを一次記憶するＲＡＭ（Random  Access  Memory；図示せず）、放送局などから送信される画像信号を受信する受信部（図示せず）、ユーザが操作可能な操作部（図示せず）、外部装置（図示せず）と通信を行うための通信部（図示せず）などを備えてもよい。表示装置１０は、例えば、データの伝送路としてのバス（bus）により上記各構成要素間を接続する。
【００２３】
表示部１２には、ｍ×ｎ（ｍ、ｎはそれぞれ２以上の自然数。）のマトリクス状（行列状）に画素が配置される。それぞれの画素には、画像信号に応じた電圧信号が印加される信号線ＤＴＬｐ（ｐは、ｎ以下の正の整数。）、ライトスキャナ１６から出力される選択信号が印加される走査線ＷＳＬｑ（ｑは、ｍ以下の正の整数。）、およびドライブスキャナ１８から出力される駆動信号が印加される電源供給線ＤＳＬｑが接続される。それぞれの画素は、電流量に応じて自発光する発光素子と、第１端子が電源供給線ＤＳＬｑに接続され第２端子が発光素子に接続されたトランジスタとを備える。画素それぞれは、トランジスタの制御端子に印加される電圧信号に応じた量の発光電流が発光素子に印加されることによって発光する。ここで、図１では、表示部１２が備える画素として、画素３０Ａ〜画素３０Ｆを示している。
【００２４】
水平セレクタ１４は、入力される画像信号に基づいて、画像信号に応じた電圧信号を信号線ＤＴＬｐに選択的に出力する。
【００２５】
ライトスキャナ１６は、画像信号に応じた電圧信号が印加される画素を選択する選択信号を、選択的に走査線ＷＳＬｑに出力する。
【００２６】
ドライブスキャナ１８は、各画素が備える発光素子を発光させるための駆動信号を、選択的に電源供給線ＤＳＬｑに出力する。ここで、ドライブスキャナ１８の構成については後述する。
【００２７】
共通電源２０は、表示装置１０が備える電源供給手段であり、例えば、水平セレクタ１４、ライトスキャナ１６、ドライブスキャナ１８、制御部（図示せず）などに電源を供給する。ここで、共通電源２０は、例えば、制御部（図示せず）からの命令に応じて、水平セレクタ１４、ライトスキャナ１６、ドライブスキャナ１８それぞれに供給する電圧が制御される。
【００２８】
表示装置１０は、図１に示すような構成により、入力される画像信号に応じて選択的に各画素が備える発光素子を発光させる。
【００２９】
［従来の表示装置１０が備えるドライブスキャナ１８の構成例］
図２は、従来の表示装置１０が備えるドライブスキャナ１８の構成例を示す説明図である。図２では、ドライブスキャナ１８の他、画素３０Ａ、…、および共通電源２０を併せて示している。
【００３０】
また、図２では、電源供給線ＤＳＬ１に接続された画素のうち、画素３０Ａのみ画素回路の一部構成を示している。ここで、画素３０Ａは、発光素子Ｄと、ドレインが電源電圧線ＤＳＬ１と接続されソースが発光素子Ｄに接続されるＮチャネル型のトランジスタＴｒを備え、トランジスタＴｒのゲート、ソース、ドレインの電位の状態に応じて発光電流が発光素子Ｄに印加され、発光素子Ｄは発光する。
【００３１】
図２を参照すると、ドライブスキャナ１８は、シフトレジスタ４０と、波形調整回路４２と、電源供給線ＤＳＬｑにそれぞれ対応するバッファ４４Ａ、４４Ｂ、…、４４Ｃとを備える。
【００３２】
シフトレジスタ４０は、共通電源２０から供給されたハイレベルまたはローレベルの電圧信号を、クロック信号（図示せず）に応じて遅延させて順次出力する。ここで、クロック信号は、例えば、水晶とオシレータを備えるクロック生成部（図示せず）が生成することができる。
【００３３】
波形調整回路４２は、シフトレジスタ４０から順次出力される電圧信号に対して、例えば、ＰＡＬ（Phase  Alternating  Line）規格などの放送規格に応じた調整を行う。
【００３４】
バッファ４４Ａ、…、４４Ｃは、波形調整回路４２から出力される電圧信号に基づいて、ハイレベルの電圧またはローレベルの電圧を選択的に出力することによって、駆動信号を出力する。
【００３５】
〔従来の表示装置１０が備えるバッファの構成例〕
図３は、従来の表示装置１０が備えるバッファの構成例を示す説明図であり、バッファ４４Ａを例示している。なお、図３では、電源供給線ＤＳＬ１に係る要素のみを示しているが、その他の電源供給線ＤＳＬｑも同様であるため、説明を省略する。
【００３６】
図３を参照すると、バッファ４４Ａは、共通電源２０から供給されるハイレベルの電圧Ｖｃｃ＿Ｈが印加される配線に第１端子が接続されるＰチャネル型のトランジスタＰ１１およびトランジスタＰ１２と、共通電源２０から供給されるローレベルの電圧Ｖｃｃ＿Ｌが印加される配線に第１端子が接続されるＮチャネル型のトランジスタＮ１１およびトランジスタＮ１２とを備える（以下、それぞれトランジスタＰ１１、トランジスタＰ１２、トランジスタＮ１１、トランジスタＮ１２という）。トランジスタＰ１１の第２端子とトランジスタＮ１１の第２端子とは接続され、それぞれの制御端子に入力されるハイレベルまたはローレベルの電圧信号に基づいて電圧Ｖｃｃ＿Ｈまたは電圧Ｖｃｃ＿Ｌを選択的に出力する。また、トランジスタＰ１２の第２端子とトランジスタＮ１２の第２端子とは接続され、それぞれの制御端子に入力される電圧Ｖｃｃ＿Ｈまたは電圧Ｖｃｃ＿Ｌに基づいて、電圧Ｖｃｃ＿Ｈまたは電圧Ｖｃｃ＿Ｌを選択的に駆動信号として電源供給線ＤＳＬ１に出力する。
【００３７】
ここで、バッファ４４Ａから出力されるハイレベルの電圧Ｖｃｃ＿Ｈは、電源供給線ＤＳＬ１に接続される各画素が備える発光素子Ｄを発光させるための駆動電圧として用いられる。図３の画素３０Ａを参照してより具体的に説明すると、バッファ４４Ａから電圧Ｖｃｃ＿Ｈが出力されているとき、ＤＳＬ１に接続されたトランジスタＴｒがオンとなることによってＤＳＬ１側から発光素子Ｄ側へと電流が流れ、当該電流量に応じて発光素子Ｄが発光する。
【００３８】
従来の表示装置１０は、図２、図３に示すようなドライブスキャナ１８を備えることによって、電源供給線ＤＳＬｑに接続された各画素に対して駆動信号を印加することができる。
【００３９】
［従来の表示装置１０の問題］
各画素が備える発光素子は、構成される材料などによって発光に必要な発光素子駆動電圧が異なる。つまり、例えば、各画素が備える発光素子の材質の変更などによって、発光素子の発光素子駆動電圧がより小さくなることが起こりうる。発光素子の発光素子駆動電圧が小さい場合には、各画素はより小さな駆動電圧で発光することが可能であるため、各画素で消費される消費電力を低減する観点からみて、各画素が備える発光素子の発光素子駆動電圧に併せてドライブスキャナ１８から出力される駆動電圧、すなわちハイレベルの電圧Ｖｃｃ＿Ｈの大きさをより小さくすることが有効である。
【００４０】
しかしながら、電圧Ｖｃｃ＿Ｈは、図３に示すように、トランジスタＰ１１およびトランジスタＰ１２、トランジスタＮ１１およびトランジスタＮ１２を駆動させるための電圧（スキャナ駆動電圧）でもある。したがって、発光素子の発光素子駆動電圧に併せて電圧Ｖｃｃ＿Ｈを下げると、例えば、以下の（１）、（２）に示すような問題が生じうる。
【００４１】
（１）ドライブスキャナ１８の駆動能力の低下
電圧Ｖｃｃ＿Ｈを小さくすることにより、例えば、応答速度の低下などのドライブスキャナ１８の駆動能力の低下が生じる可能性が高まる。
【００４２】
（２）ドライブスキャナ１８の機能停止
電圧Ｖｃｃ＿Ｈを小さくした結果、バッファにおいて以下の数式１を満たす場合Ｐチャネル型のトランジスタは機能を停止し、また、バッファにおいて以下の数式２を満たす場合Ｎチャネル型のトランジスタは機能を停止する。したがって、ドライブスキャナ１８は、電圧Ｖｃｃ＿Ｈまたは電圧Ｖｃｃ＿Ｌを選択的に出力することができないため、ドライブスキャナ１８の機能は停止する。ここで、数式１に示すｐＶｔｈはＰチャネル型のトランジスタにおける制御端子と第１端子との間の閾値電圧であり、また、数式２に示すｎＶｔｈはＮチャネル型のトランジスタにおける制御端子と第１端子との間の閾値電圧である。
【００４３】
Ｖｃｃ＿Ｌ＞Ｖｃｃ＿Ｈ−ｐＶｔｈ
・・・（数式１）
Ｖｃｃ＿Ｈ＜Ｖｃｃ＿Ｌ＋ｎＶｔｈ
・・・（数式２）
【００４４】
以上のように、従来の表示装置１０は、ドライブスキャナ１８から出力されるハイレベルの電圧Ｖｃｃ＿Ｈの大きさを、発光素子の発光素子駆動電圧に併せて小さくした場合には、ドライブスキャナ１８の機能に障害をきたす場合がある。したがって、従来の表示装置１０では、各画素における消費電力の低減と、ドライブスキャナ１８を正常に機能させることとの両立を図ることはできない。
【００４５】
（本発明の実施形態に係る表示装置）
そこで次に、各画素における消費電力の低減と、ドライブスキャナを正常に機能させること（ドライブスキャナの駆動能力の維持または向上）との両立を図ることが可能な、本発明の実施形態に係る表示装置について説明する。以下では、本発明の実施形態に係る表示装置として、発光素子に流れる電流に応じて発光する自発光型の表示装置である有機ＥＬディスプレイを例に挙げて説明する。なお、本発明の実施形態に係る表示装置は、有機ＥＬディスプレイに限られず、例えば、ＬＣＤなど発光素子に流れる電流に応じて発光させることが可能な表示装置に適用することもできる。
【００４６】
［本発明の実施形態に係る表示装置の問題解決方法］
各画素における消費電力の低減と、ドライブスキャナを正常に機能させることとの両立を図るために、本発明の実施形態に係る表示装置は、各画素が備える発光素子を駆動させるための駆動電圧と、ドライブスキャナを駆動させるためのスキャナ駆動電圧とをそれぞれ独立なものとする。より具体的には、本発明の実施形態に係る表示装置は、第１レベルの電圧と当該第１レベルより電圧レベルが低い第２レベルの電圧をスキャナ駆動電圧としてドライブスキャナへ供給する第１電源と、当該第２レベルより電圧レベルが高い第３レベルの電圧を駆動電圧としてドライブスキャナに供給する第２電源とを備える。そして、ドライブスキャナは、第１電源から供給される第２レベルの電圧、または第２電源から供給される第３レベルの電圧を選択的に出力する。ここで、ドライブスキャナから出力される第２レベルの電圧、または第３レベルの電圧は、駆動信号に相当する。
【００４７】
本発明の実施形態に係る表示装置は、上記の構成をとることにより、たとえ、各画素が備える発光素子の発光素子駆動電圧に併せて第３レベルの電圧（駆動電圧）を小さくしたとしても、ドライブスキャナは第１電源から供給される第１レベルの電圧または第２レベルの電圧で駆動することができる。したがって、本発明の実施形態に係る表示装置は、ドライブスキャナの駆動能力を維持した状態で、各画素における消費電力の低減を図ることができる。
【００４８】
また、本発明の実施形態に係る表示装置は、上記の構成をとることにより、たとえ、ドライブスキャナの駆動能力をより高めるために、第１電源から供給される第１レベルの電圧を大きくしたとしても、第２電源から供給される第３レベルの電圧には何らの影響も与えない。したがって、本発明の実施形態に係る表示装置は、第２電源から供給される第３レベルの電圧の大きさを維持した状態で（すなわち、消費電力の増加を必要とはせずに）、ドライブスキャナの駆動能力を向上させることができる。
【００４９】
［本発明の実施形態に係る表示装置の構成例］
以下、本発明の実施形態に係る表示装置の構成について説明する。図４は、本発明の実施形態に係る表示装置１００を示す説明図である。
【００５０】
図４を参照すると、表示装置１００は、表示部１０２と、水平セレクタ１０４と、ライトスキャナ１０６と、ドライブスキャナ１０８と、共通電源１１０（第１電源）と、第２電源１１２とを備える。
【００５１】
また、表示装置１００は、例えば、ＭＰＵなどで構成され表示装置１００全体を制御することが可能な制御部（図示せず）や、制御部が使用するプログラムや演算パラメータなどの制御用データが記録されたＲＯＭ（図示せず）、制御部により実行されるプログラムなどを一次記憶するＲＡＭ（図示せず）、放送局などから送信される画像信号を受信する受信部（図示せず）、映像ファイルや画像ファイルなどを記憶可能な記憶部（図示せず）、ユーザが操作可能な操作部（図示せず）、外部装置（図示せず）と通信を行うための通信部（図示せず）などを備えてもよい。表示装置１００は、例えば、データの伝送路としてのバスにより上記各構成要素間を接続する。
【００５２】
ここで、記憶部（図示せず）としては、例えば、ハードディスク（Hard  Disk）などの磁気記録媒体や、ＥＥＰＲＯＭ（Electronically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。また、操作部（図示せず）としては、例えば、キーボード（keyboard）やマウス（mouse）などの操作入力デバイスや、ボタン、方向キー、ジョグダイヤルなどの回転型セレクター、あるいは、これらの組み合わせなどが挙げられるが、上記に限られない。
【００５３】
また、表示装置１００と外部装置（図示せず）とは、例えば、ＵＳＢ（Universal  Serial  Bus）端子やＩＥＥＥ１３９４規格の端子、ＤＶＩ（Digital  Visual  Interface）端子、あるいはＨＤＭＩ（High-Definition  Multimedia  Interface）端子などを介して物理的に接続されてもよいし、また、ＷＵＳＢ（Wireless  Universal  Serial  Bus）やＩＥＥＥ８０２．１１などを利用して無線で接続することもできる。さらに、表示装置１００と外部装置（図示せず）とは、例えば、ネットワークを介して接続することもできる。ネットワークとしては、例えば、ＬＡＮ（Local  Area  Network）やＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。したがって、通信部（図示せず）は、外部装置（図示せず）との接続形態に応じたインタフェースを有する。
【００５４】
表示部１０２は、マトリクス状（行列状）に配置された複数の画素を備える。例えば、ＳＤ（Standard  Definition）解像度の映像（動画像／静止画像）を表示する表示部は、少なくとも６４０×４８０＝３０７２００（行×列）の画素を有し、カラー表示のために当該画素が赤（Red）、緑（Green）、青（Blue）のサブピクセル（sub  pixel）からなる場合には、６４０×４８０×３＝９２１６００（行×列×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。ここで、図４では、表示部１０２が備える画素として、画素１２０Ａ〜画素１２０Ｆを示している。なお、以下では、各画素が一つの発光素子を備える構成を例に挙げて説明する。
【００５５】
[発光素子の適用例：有機ＥＬ素子]
各画素を構成する発光素子が有機ＥＬ素子である場合には、ＩＬ特性（電流−発光量特性）が線形となり、発光素子に印加された電流量に応じて発光する。したがって、本発明の実施形態に係る表示装置１００として有機ＥＬディスプレイが適用された場合には、表示装置１００は、入力された画像信号が示す被写体の光量と、表示装置の発光素子から発光される発光量との関係を線形とすることができるので、画像信号に忠実な映像や画像を表示することができる。
【００５６】
また、それぞれの画素には、画像信号に応じた電圧信号が印加される信号線ＤＴＬｐ、ライトスキャナ１０６から出力される選択信号が印加される走査線ＷＳＬｑ、およびドライブスキャナ１０８から出力される駆動信号が印加される電源供給線ＤＳＬｑが接続される。
【００５７】
〔本発明の実施形態に係る画素の構成〕
〔１〕本発明の実施形態に係る画素の構成例
ここで、本発明の実施形態に係る画素の回路構成例を示す。図５は、本発明の実施形態に係る画素の回路構成例を示す説明図である。なお、図５では、画素１２０Ａのみを示しているが、その他の画素も同様の構成をとることができる。
【００５８】
図５を参照すると、画素１２０Ａは、トランジスタ１Ａと、トランジスタ１Ｂと、キャパシタ１Ｃと、発光素子１Ｄとを備える。トランジスタ１Ａ、１Ｂは、例えば、薄膜トランジスタ（Thin  Film  Transistor）で構成される。ここで、図５では、トランジスタ１Ａ、１ＢがＮチャネル型のトランジスタで構成された例を示しているが、本発明の実施形態に係る画素は、上記の構成に限られない。例えば、トランジスタ１Ａ、１Ｂは、Ｐチャネル型のトランジスタで構成することができ、また、いずれか一方がＮチャネル型のトランジスタ、他方がＰチャネル型のトランジスタで構成することもできる。
【００５９】
トランジスタ１Ａは、ゲート（制御端子）が走査線ＷＳＬ１に接続される。また、トランジスタ１Ａのドレイン（第１端子）は信号線ＤＴＬ１に接続され、ソース（第２端子）はトランジスタ１Ｂのゲートに接続される。
【００６０】
トランジスタ１Ａは走査線に印加される走査信号に応じてＯＮ／ＯＦＦ動作し、走査信号に基づいて信号線に印加される電圧信号をトランジスタ１Ｂのゲート（制御端子）に印加する。つまり、トランジスタ１Ａは、スイッチとして機能する。
【００６１】
トランジスタ１Ｂは、ゲートがトランジスタ１Ａのソースに接続される。また、トランジスタ１Ｂのドレイン（第１端子）は電源供給線ＤＳＬ１に接続され、ソース（第２端子）は発光素子１Ｄのアノードに接続される。
【００６２】
トランジスタ１Ｂは、ゲート、ソース、ドレインそれぞれの電位の状態に応じて、発光素子１Ｄを発光させるための発光電流Ｉｄｓを発光素子に印加する。ここで、トランジスタ１Ｂは、発光素子１Ｄが発光する発光状態においては、発光電流Ｉｄｓを以下の数式３に従って流すように駆動する。なお、数式３において各項は、それぞれ以下のものを示している。
μ    ：実効的な移動度
Ｖｇｓ：ゲート−ソース間の電位差
Ｖｔｈ：閾値電圧
ｋ    ：（１／２）・（Ｗ／Ｌ）・Ｃｏｘ
Ｌ    ：チャネル長
Ｗ    ：チャネル幅
Ｃｏｘ：（ゲート絶縁層の比誘電率）・（真空の誘電率）／（ゲート絶縁層の厚さ）
【００６３】
Ｉｄｓ＝ｋ・μ・（Ｖｇｓ−Ｖｔｈ）２
・・・（数式３）
【００６４】
キャパシタ１Ｃは、トランジスタ１Ｂのゲート−ソース間の閾値電圧Ｖｔｈや移動度などを補償する役目を果たす。
【００６５】
発光素子１Ｄは、アノードがトランジスタ１Ｂのソースに接続され、カソードが共通電源線１Ｈに接続されて、トランジスタ１Ｂから印加される発光電流Ｉｄｓの電流量に応じて発光する。なお、図５では、発光素子１Ｄのカソードが共通電源線１Ｈに接続されている例を示しているが、上記に限られない。例えば、本発明の実施形態に係る画素は、発光素子１Ｄのカソードがグランドに接続される構成をとることもできる。
【００６６】
画素１２０Ａは、例えば図５に示す画素回路を備えることによって、信号線ＤＴＬ１に印加される電圧信号、走査線ＷＳＬ１に印加される走査信号、および電源供給線ＤＳＬ１に印加される駆動信号に基づいて、発光素子１Ｄを発光させることができる。
【００６７】
〔２〕本発明の実施形態に係る画素の駆動例
次に、画素１２０Ａの駆動例を示す。図６は、本発明の実施形態に係る画素の駆動を説明するための第１の説明図である。また、図７Ａ、図７Ｂは、それぞれ本発明の実施形態に係る画素の駆動を説明するための第２、第３の説明図である。ここで、図６（ａ）は走査線電位を示しており、図６（ｂ）は電源供給線電位を示している。同様に、図６（ｃ）〜図６（ｅ）は、信号線電位、トランジスタ１Ｂゲート電位、トランジスタ１Ｂソース電位をそれぞれ示している。また、図６に示すａは図７Ａ（ａ）に対応し、図６に示すｅは図７Ｂ（ｅ）に対応する。同様に、図６に示すｂ〜ｄ、ｆ〜ｈは、図７Ａ（ｂ）〜（ｄ）、図７Ｂ（ｆ）〜（ｈ）にそれぞれ対応する。また、図７Ａ、図７Ｂでは、トランジスタ１Ａをスイッチとして表し、発光素子１Ｄの寄生容量１Ｉを示している。
【００６８】
〔２−１〕図６の期間ａ、ｂ
図７Ａ（ａ）は、発光電流Ｉｄｓが発光素子１Ｄに印加され発光している発光状態を示している。電源供給線ＤＳＬ１に駆動信号が印加されることによって、電源供給線ＤＳＬ１の電位が図７Ａ（ａ）に示す高電位Ｖｃｃ＿Ｐから図７Ａ（ｂ）に示す電位Ｖｃｃ＿Ｌに遷移すると、トランジスタ１Ｂのソース電位ＶｓはＶｃｃ＿Ｌとほぼ等しい電位となる。なお、電位Ｖｃｃ＿Ｌは、信号線ＤＴＬ１の基準電位Ｖｏよりも十分に低い電位である。より具体的には、電位Ｖｃｃ＿Ｌは、トランジスタ１Ｂのゲート−ソース間電圧Ｖｇｓが、トランジスタ１Ｂの閾値電圧Ｖｔｈ以上となるように設定される。ここで、ゲート−ソース間電圧Ｖｇｓは、ゲート電位Ｖｇとソース電位Ｖｓとの間の電位差に相当する。
【００６９】
ここで、Ｖｃｃ＿Ｐは第２電源１１２から供給される第３レベルの電圧、Ｖｃｃ＿Ｌは共通電源１１０から供給される第２レベルの電圧に対応し、Ｖｃｃ＿ＰおよびＶＣＣ＿Ｌは、それぞれドライブスキャナ１０８から出力される駆動信号を構成する。また、ドライブスキャナ１０８から出力される駆動信号において、Ｖｃｃ＿Ｐはハイレベルの信号、Ｖｃｃ＿Ｌはローレベルの信号に相当する。
【００７０】
〔２−２〕図６の期間ｃ
走査線ＷＳＬ１の電位が高電位側へ遷移する（ライトスキャナ１０６からハイレベルの走査信号が印加される）ことによって、図７Ａ（ｃ）に示すようにトランジスタ１ＡはＯＮ状態となる。したがって、トランジスタ１Ｂのゲート電位Ｖｇは、信号線ＤＴＬ１の基準電位Ｖｏとなる。また、ゲート電位Ｖｇに伴いトランジスタ１Ｂのソース電位Ｖｓは、信号線ＤＴＬ１の基準電位Ｖｏよりも十分に低い電位Ｖｃｃ＿Ｌとなる。
【００７１】
〔２−３〕図６の期間ｄ
電源供給線ＤＳＬ１に駆動信号が印加されることによって、電源供給線ＤＳＬ１の電位が図７Ａ（ｃ）に示す電位Ｖｃｃ＿Ｌから図７Ａ（ｄ）に示す電位Ｖｃｃ＿Ｐに遷移すると、トランジスタ１Ｂのソース電位Ｖｓは上昇を開始し、やがてトランジスタ１Ｂのゲート−ソース間電圧Ｖｇｓは、閾値電圧Ｖｔｈとなる。ゲート−ソース間電圧Ｖｇｓが閾値電圧Ｖｔｈとなることによって、数式３に示すようにトランジスタ１Ｂに発光電流Ｉｄｓは流れなくなり、トランジスタ１Ｂはオフ状態となる。ここで、共通電源供給線１Ｈの電位は、発光素子１Ｄがカットオフ状態となるように設定され、発光素子１Ｄに発光電流Ｉｄｓはほとんど流れない。
【００７２】
トランジスタ１Ｂのゲート−ソース間電圧Ｖｇｓを閾値電圧Ｖｔｈとすることにより、キャパシタ１Ｃには、閾値電圧Ｖｔｈが保持されることとなる。キャパシタ１Ｃに画素１２０Ａの閾値電圧Ｖｔｈが保持されることによって、表示部１０２が備える各画素の閾値電圧のばらつきを補償することができ、より高画質化を図ることができる。
【００７３】
〔２−４〕図６の期間ｅ、ｆ
走査線ＷＳＬ１の電位が低電位側へ遷移する（ライトスキャナ１０６からローレベルの走査信号が印加される）ことによって、図７Ｂ（ｅ）に示すようにトランジスタ１ＡはＯＦＦ状態となる。このとき、トランジスタ１Ｂのゲートはフローティング状態となるが、ゲート−ソース間電圧Ｖｇｓが閾値電圧Ｖｔｈであるため、数式３に示すようにトランジスタ１Ｂに発光電流Ｉｄｓは流れない。その後、図７Ｂ（ｆ）に示すように、水平セレクタ１０４から電圧信号が印加されることにより、信号線ＤＴＬ１の電位が基準電位Ｖｏからサンプリング電位Ｖｓｉｇとなる。ここで、サンプリング電位Ｖｓｉｇは、表示装置１００に入力される画像信号に応じたものとなる。
【００７４】
〔２−５〕図６の期間ｇ
走査線ＷＳＬ１の電位が高電位側へ遷移する（ライトスキャナ１０６からハイレベルの走査信号が印加される）ことによって、図７Ｂ（ｇ）に示すようにトランジスタ１ＡはＯＮ状態となる。このとき、トランジスタ１Ｂのゲート電位Ｖｇが上昇するが、キャパシタ１Ｃと発光素子１Ｄの寄生容量１Ｉとのカップリングによって、トランジスタ１Ｂのソース電位Ｖｓも上昇する。より具体的には、発光素子１Ｄがカットオフ状態（ハイインピーダンス）であるため、トランジスタ１Ｂに流れる発光電流Ｉｄｓ（ドレイン−ソース間電流）が寄生容量１Ｉに流れ、寄生容量１Ｉが充電されることによって、トランジスタ１Ｂのソース電位Ｖｓは上昇する。そして、トランジスタ１Ｂのゲート−ソース間電圧Ｖｇｓは、「Ｖｓｉｇ＋Ｖｔｈ−ΔＶ」となる。ここで、上記ΔＶは、画素１２０Ａにおけるトランジスタ１Ｂの移動度を補正する移動度補正項である。
【００７５】
トランジスタ１Ｂのゲート−ソース間電圧ＶｇｓをＶｓｉｇ＋Ｖｔｈ−ΔＶとすることにより、キャパシタ１Ｃには、閾値の補正および移動度の補正が反映されたＶｓｉｇ＋Ｖｔｈ−ΔＶが保持されることとなる。キャパシタ１ＣにＶｓｉｇ＋Ｖｔｈ−ΔＶが保持されることによって、表示部１０２が備える各画素の閾値電圧のばらつきおよび移動度のばらつきを補償することができるので、より高画質化を図ることができる。
【００７６】
ここで、本発明の実施形態に係る閾値補正および移動度補正の効果について説明する。図８は、本発明の実施形態に係る画素における補正の効果を説明するための説明図であり、画素１２０Ａと画素１２０Ｄとを例に挙げて、それぞれの画素の図５のトランジスタ１Ｂに対応するトランジスタ（以下、各画素においてトランジスタ１Ｂに対応するトランジスタを「駆動トランジスタ」という。）におけるサンプリング電位Ｖｓｉｇと発光電流Ｉｄｓとの関係を示している。
【００７７】
図８（ａ）は、閾値補正および移動度補正が行われていない状態を示している。図８（ａ）を参照すると、画素１２０Ａと画素１２０Ｄでは、駆動トランジスタのゲート電位Ｖｇの電位が、同じ大きさのサンプリング電位Ｖｓｉｇである場合であっても、発光電流Ｉｄｓが異なることが分かる。図８（ａ）の状態では、画素１２０Ａの発光素子と画素１２０Ｄの発光素子の発光量が異なってしまうため、表示部１０２に表示される画像には、意図しない輝度差などが生じて画質が低下してしまう。これは、画素１２０Ａの画素回路を構成する駆動トランジスタと、画素１２０Ｄの画素回路を構成する駆動トランジスタとに閾値電圧および／または移動度のばらつきがあるために生じる。
【００７８】
また、図８（ｂ）は、閾値補正が行われた状態を示している。図８（ｂ）を参照すると、画素回路を構成する駆動トランジスタの閾値電圧が補正されることによって、画素１２０Ａの駆動トランジスタと画素１２０Ｄの駆動トランジスタとに発光電流Ｉｄｓが流れだすサンプリング電位Ｖｓｉｇの値が一致することが分かる。
【００７９】
さらに、図８（ｃ）は、閾値補正および移動度補正が行われた状態を示している。閾値補正に加えさらに移動度が補正されることによって、画素１２０Ａと画素１２０Ｃとはほぼ同様のＶｓｉｇ−Ｉｄｓ特性を有することとなる。
【００８０】
したがって、本発明の実施形態に係る各画素において閾値補正および移動度補正が行われることによって、表示装置１００に入力される画像信号がどのような階調を示す信号であったとしても、表示部１０２に画像を表示する際に輝度のばらつきなどは生じず、高画質化を図ることができる。
【００８１】
再度、図６〜図７Ｂを参照して本発明の実施形態に係る画素の駆動例を示す。
【００８２】
〔２−６〕
走査線ＷＳＬ１の電位が低電位側へ遷移する（ライトスキャナ１０６からローレベルの走査信号が印加される）ことによって、図７Ｂ（ｈ）に示すようにトランジスタ１ＡはＯＦＦ状態となる。このとき、発光素子１Ｄには発光電流Ｉｄｓが流れて発光し、また発光素子１Ｄのアノードの電位は発光電流に応じて上昇する。ここで、発光素子１Ｄのアノードの電位の上昇は、トランジスタ１Ｂのソース電位Ｖｓの上昇に相当する。
【００８３】
また、トランジスタ１Ｂのソース電位Ｖｓが上昇すると、キャパシタ１Ｃのブーストトラップ動作によって、トランジスタ１Ｂのゲート電位Ｖｇも上昇する。ここで、トランジスタ１Ｂのゲート電位Ｖｇの上昇量は、ソース電位Ｖｓの上昇量と等しくなる。したがって、トランジスタ１Ｂのゲート−ソース間電圧Ｖｇｓは、閾値の補正および移動度の補正が反映されたＶｓｉｇ＋Ｖｔｈ−ΔＶに維持される。
【００８４】
本発明の実施形態に係る各画素は、図６〜図７Ｂに示すような動作によって、表示装置１００に入力される画像信号がどのような階調を示す信号であったとしても、表示部１０２に画像を表示する際に輝度のばらつきなどは生じさせず、高画質化を図ることができる。
【００８５】
再度図４を参照して、表示装置１００の構成要素について説明する。水平セレクタ１０４は、入力される画像信号に基づいて、画像信号に応じた電圧信号を信号線ＤＴＬｐに選択的に出力する。
【００８６】
ライトスキャナ１０６は、画像信号に応じた電圧信号が印加される画素を選択する選択信号を、選択的に走査線ＷＳＬｑに出力する。選択信号が走査線ＷＳＬｑに出力されることによって、各画素のスイッチの役目を果たすトランジスタ（例えば、図５に示すトランジスタ１Ａ）がＯＮ／ＯＦＦ動作される。
【００８７】
ドライブスキャナ１０８には、共通電源１１０から第１レベルの電圧および第２レベルの電圧を供給され、また、第２電源１１２から第３レベルの電圧が供給される。そしてドライブスキャナ１０８は、第１レベルの電圧および第２レベルの電圧を用いて駆動し、第２レベルの電圧、または、第３レベルの電圧を駆動信号として電源供給線ＤＳＬｑに選択的に出力する。ここで、ドライブスキャナ１０８の構成については後述する。
【００８８】
共通電源１１０は、表示装置１００が備える一の電源供給手段であり、例えば、水平セレクタ１０４、ライトスキャナ１０６、ドライブスキャナ１０８、制御部（図示せず）などに電源を供給する。例えば、共通電源１１０は、ドライブスキャナ１０８に第１レベルの電圧と、当該第１レベルよりも電圧レベルが低い第２レベルの電圧とを供給する。また、共通電源１１０は、例えば、制御部（図示せず）からの命令に応じて、水平セレクタ１０４、ライトスキャナ１０６、ドライブスキャナ１０８それぞれに供給する電圧が制御される。ここで、共通電源１１０は、上述した第１電源に対応する。
【００８９】
第２電源１１２は、表示装置１００が備える他の電源供給手段であり、ドライブスキャナ１０８に第３レベルの電圧を供給する。ここで、第３レベルの電圧は、表示部１０２が備える各画素の発光素子の発光駆動電圧に併せて設定することができる。
【００９０】
表示装置１００は、図４に示すような構成により、入力される画像信号に応じて選択的に各画素が備える発光素子を発光させ、画像信号が示す画像を表示部１０２に表示することができる。
【００９１】
また、表示装置１００のドライブスキャナ１０８は、共通電源１１０から供給される第１レベルの電圧および第２レベルの電圧を用いて駆動し、第２レベルの電圧または第３レベルの電圧を駆動信号として電源供給線ＤＳＬｑに選択的に出力する。よって、表示装置１００は、たとえ、各画素が備える発光素子の発光素子駆動電圧に併せて第３レベルの電圧を小さくしたとしても、ドライブスキャナ１０８は共通電源１１０から供給される第１レベルの電圧または第２レベルの電圧で駆動することができる。したがって、表示装置１００は、ドライブスキャナの駆動能力を維持した状態で、各画素における消費電力の低減を図ることができる。
【００９２】
さらに、表示装置１００は、たとえ、ドライブスキャナの駆動能力をより高めるために、共通電源１１０から供給される第１レベルの電圧を大きくしたとしても、第２電源１１２から供給される第３レベルの電圧には何らの影響も与えない。したがって、表示装置１００は、第２電源１１２から供給される第３レベルの電圧の大きさを維持した状態で、ドライブスキャナの駆動能力を向上させることができる。
【００９３】
以下、本発明の実施形態に係るドライブスキャナ１０８の構成についてより具体的に説明する。
【００９４】
［表示装置１００が備えるドライブスキャナ１０８の構成例］
図９は、本発明の実施形態に係る表示装置１００が備えるドライブスキャナ１０８の構成例を示す説明図である。図９では、ドライブスキャナ１０８の他、画素１２０Ａ、…、共通電源１１０、および第２電源１１２を併せて示している。ここで、図９に示すドライブスキャナ１０８、共通電源１１０、および第２電源１１２は、駆動信号を各画素に印加する駆動回路を構成することができる。
【００９５】
図９を参照すると、ドライブスキャナ１０８は、シフトレジスタ１３０と、波形調整回路１３２と、電源供給線ＤＳＬｑにそれぞれ対応するバッファ１３４Ａ、１３４Ｂ、…、１３４Ｃとを備える。
【００９６】
シフトレジスタ１３０は、共通電源１１０から供給されたハイレベル（第１レベルの電圧）またはローレベル（第２レベルの電圧）の電圧信号を、クロック信号（図示せず）に応じて遅延させて順次出力する。ここで、クロック信号は、例えば、水晶とオシレータを備えるクロック生成部（図示せず）が生成することができる。
【００９７】
波形調整回路１３２は、シフトレジスタ１３０から順次出力される電圧信号に対して、例えば、ＰＡＬ規格などの放送規格に応じた調整を行う。なお、図９では、ドライブスキャナ１０８が波形調整回路１３２を備える構成を示しているが、本発明の実施形態に係るドライブスキャナは上記に限られず、例えば、波形調整回路１３２を備えない構成とすることもできる。
【００９８】
バッファ１３４Ａ、…、１３４Ｃは、波形調整回路１３２から出力される電圧信号に基づいて、第２レベルの電圧または、第２電源１１２から供給される第３レベルの電圧を電源供給線ＤＳＬｑに選択的に出力する。ここで、バッファ１３４Ａ、…、１３４Ｃそれぞれから選択的に出力される第２レベルの電圧または第３レベルの電圧は、表示部１０２の各画素に印加される駆動信号に相当する。したがって、バッファ１３４Ａ、…、１３４Ｃそれぞれは、駆動信号印加部としての役目を果たす。以下、本発明の実施形態に係るバッファの構成について説明する。
【００９９】
〔表示装置１００が備えるバッファの構成例〕
図１０は、本発明の実施形態に係る表示装置１００が備えるバッファの構成例を示す説明図であり、バッファ１３４Ａを例示している。なお、図１０では、電源供給線ＤＳＬ１に係る要素のみを示しているが、その他の電源供給線ＤＳＬｑも同様であるため、説明を省略する。
【０１００】
また、以下では、共通電源１１０から出力される第１レベルの電圧を電圧Ｖｃｃ＿Ｈ、第２レベルの電圧をＶｃｃ＿Ｌとし、第２電源１１２から出力される第３レベルの電圧を電圧Ｖｃｃ＿Ｐとする。また、第１レベルの電圧、第３レベルの電圧は、それぞれ第２レベルの電圧よりも電圧レベルが高く設定される。したがって、第２レベルの電圧をローレベルの電圧とした場合、第１レベルの電圧および第３レベルの電圧はそれぞれハイレベルの電圧とすることができる。なお、第１レベルの電圧は、例えば、数式１、数式２の条件を満たさない値に設定され、また、第３レベルの電圧は、例えば、以下の数式４を満たす値に設定される。ドライブスキャナ１０８のスキャナ機能を低下あるいは停止させないためである。ここで、数式４のｔｒＶｔｈは、電圧Ｖｃｃ＿Ｐが印加されるトランジスタ（図１０では、Ｐチャネル型のトランジスタＰ２）における制御端子−第１端子間の閾値電圧である。
【０１０１】
Ｖｃｃ＿Ｐ＞ｔｒＶｔｈ＋Ｖｃｃ＿Ｌ
・・・（数式４）
【０１０２】
また、第１レベルの電圧と第３レベルの電圧とは、それぞれ別途の電源から独立に供給され、また上述したように、第１レベルの電圧と第３レベルの電圧とのそれぞれの用途は互いに異なる。したがって、第１レベルの電圧と第３レベルの電圧との間の関係は問題とはならない。
【０１０３】
図１０を参照すると、バッファ１３４Ａは、共通電源１１０から供給されるハイレベルの電圧Ｖｃｃ＿Ｈが印加される配線に第１端子が接続されるＰチャネル型のトランジスタＰ１と、共通電源１１０から供給されるローレベルの電圧Ｖｃｃ＿Ｌが印加される配線に第１端子が接続されるＮチャネル型のトランジスタＮ１およびトランジスタＮ２（第２バッファトランジスタ）と、第２電源１１２から供給されるハイレベルの電圧Ｖｃｃ＿Ｐが印加される配線に第１端子が接続されるＰチャネル型のトランジスタＰ２（第１バッファトランジスタ）とを備える（以下、それぞれトランジスタＰ１、トランジスタＰ２、トランジスタＮ１、トランジスタＮ２という）。
【０１０４】
トランジスタＰ１の第２端子とトランジスタＮ１の第２端子とは接続され、トランジスタＰ１、トランジスタＮ１は、それぞれの制御端子に入力されるハイレベルまたはローレベルの電圧信号に基づいて電圧Ｖｃｃ＿Ｈまたは電圧Ｖｃｃ＿Ｌを選択的に出力する。また、トランジスタＰ２の第２端子とトランジスタＮ２の第２端子とは接続され、それぞれの制御端子には、トランジスタＰ１またはトランジスタＮ１から出力される電圧Ｖｃｃ＿Ｈまたは電圧Ｖｃｃ＿Ｌが入力される。そして、トランジスタＰ２、トランジスタＮ２は、それぞれの制御端子に入力される電圧Ｖｃｃ＿Ｈまたは電圧Ｖｃｃ＿Ｌに基づいて、電圧Ｖｃｃ＿Ｐまたは電圧Ｖｃｃ＿Ｌを選択的に電源供給線ＤＳＬ１に出力する。
【０１０５】
表示装置１００は、図９、図１０に示すようなドライブスキャナ１０８を備えることによって、電源供給線ＤＳＬｑに接続された各画素に対して第２レベルの電圧（Ｖｃｃ＿Ｌ）と第３レベルの電圧（Ｖｃｃ＿Ｐ；駆動電圧）とを選択的に印加することができる。したがって、表示部１０２が備える各画素には、電源供給線ＤＳＬｑから駆動信号として第２レベルの電圧または第３レベルの電圧が印加され、図６〜図７Ｂに示すように駆動して発光素子が発光することによって、表示装置１００に入力された画像信号に応じた画像を表示することができる。
【０１０６】
以上のように、本発明の実施形態に係る表示装置１００は、表示部１０２の各画素に対して電源供給線ＤＳＬｑを介して駆動信号を印加するドライブスキャナ１０８を備える。ドライブスキャナ１０８には、共通電源１１０（第１電源）から第１レベルの電圧と第２レベルの電圧とが供給され、第２電源１１２から第３レベルの電圧が供給される。ここで、第１レベルの電圧および第３レベルの電圧それぞれは、第２レベルの電圧よりも電圧レベルが高く設定される。そして、ドライブスキャナ１０８は第１レベルの電圧および第２レベルの電圧をスキャナ駆動電圧として用いて駆動し、第２レベルの電圧、第３レベルの電圧を駆動信号として出力する。ここで、駆動信号を構成する第３レベルの電圧は、表示部１０２の各画素が備える発光素子を駆動させるための駆動電圧として用いられ、発光素子の発光駆動電圧に応じた値に設定することができる。したがって、表示装置１００は、表示部１０２の各画素で消費される消費電力を低減させることができる。
【０１０７】
また、表示装置１００は、表示部１０２の各画素が備える発光素子を駆動させるための駆動電圧（第３レベルの電圧）と、ドライブスキャナ１０８を駆動させるためのスキャナ駆動電圧（第１レベルの電圧、第２レベルの電圧）とをそれぞれ独立なものとする。したがって、表示装置１００は、たとえ、表示部１０２の各画素が備える発光素子の発光素子駆動電圧に併せて第３レベルの電圧（駆動電圧）を小さく設定したとしても、ドライブスキャナ１０８は共通電源１１０（第１電源）から供給される第１レベルの電圧または第２レベルの電圧で駆動することができる。したがって、表示装置１００は、ドライブスキャナ１０８の駆動能力を維持した状態で、各画素における消費電力の低減を図ることができる。
【０１０８】
さらに、表示装置１００は、第１レベルの電圧と第３レベルの電圧とをそれぞれ独立にドライブスキャナ１０８に供給するので、たとえ、ドライブスキャナ１０８の駆動能力をより高めるために、第１レベルの電圧を大きくしたとしても、第３レベルの電圧には何らの影響も与えない。したがって、表示装置１００は、第２電源１１２から供給される第３レベルの電圧の大きさを維持した状態で（すなわち、消費電力の増加を必要とはせずに）、ドライブスキャナ１０８の駆動能力を向上させることができる。
【０１０９】
［本発明の実施形態に係る表示装置の変形例］
〔１〕第１の変形例
図１０に示す表示装置１００では、画素１２０Ａにおいてトランジスタ１Ｂ（駆動トランジスタ）のソース（第２端子）が発光素子１Ｄのアノードに接続される構成を示した。しかしながら、本発明の実施形態に係る画素の画素回路の構成は、上記に限られず、例えば、駆動トランジスタのソースが発光素子１Ｄのカソードに接続され、発光素子１Ｄのアノードに発光素子駆動電圧に相当する電圧を印加する構成とすることもできる。
【０１１０】
画素が上記の構成をとる場合、本発明の第１の変形例に係る表示装置は、ドライブスキャナが備える各バッファに対して、図１０に示すハイレベルの電圧Ｖｃｃ＿Ｈ（第１レベルの電圧）とローレベルの電圧Ｖｃｃ＿Ｌ（第２レベルの電圧）とを逆に供給する。そして、本発明の第１の変形例に係る表示装置は、ハイレベルの電圧Ｖｃｃ＿Ｐ（第３レベルの電圧）の替わりにバッファに対して第２電源から電圧Ｖｃｃ＿Ｈよりも電圧レベルが低いローレベルの電圧Ｖｃｃ＿Ｐ’（第４レベルの電圧）を供給する。つまり、本発明の第１の変形例に係る表示装置の各バッファからは、ハイレベルの電圧Ｖｃｃ＿Ｈ（第１レベルの電圧）とローレベルの電圧Ｖｃｃ＿Ｐ’（第４レベルの電圧）とが駆動信号として出力される。
【０１１１】
ここで、本発明の第１の変形例に係る表示装置の画素は、駆動トランジスタのソースが発光素子１Ｄのカソードに接続され、アノードに発光素子駆動電圧に相当する電圧が印加される。よって、本発明の第１の変形例に係る表示装置では、ローレベルの電圧Ｖｃｃ＿Ｐ’（第４レベルの電圧）が、発光素子を発光させる駆動信号の役目を果たすこととなる。
【０１１２】
したがって、本発明の第１の変形例に係る表示装置は、表示部の各画素が備える発光素子を駆動させるための駆動電圧（第４レベルの電圧）と、ドライブスキャナ１０８を駆動させるためのスキャナ駆動電圧（第１レベルの電圧、第２レベルの電圧）とをそれぞれ独立なものとすることができるので、上述した表示装置１００と同様の効果を奏することができる。
【０１１３】
〔２〕第２の変形例
また、図５に示す表示装置１００では、表示装置１００が共通電源１１０および第２電源１１２を備える構成を示したが、本発明の実施形態に係る表示装置は上記に限られない。例えば、本発明の実施形態に係る表示装置は、共通電源および／または第２電源を備えず、外部装置としての電源供給装置からドライブスキャナに第１レベルの電圧、第２レベルの電圧、および／または第３レベルの電圧を供給されてもよい。上記の構成であっても、本発明の第２の変形例に係る表示装置は、表示部の各画素が備える発光素子を駆動させるための駆動電圧（第３レベルの電圧）と、ドライブスキャナを駆動させるためのスキャナ駆動電圧（第１レベルの電圧、第２レベルの電圧）とをそれぞれ独立なものとすることができるので、上述した表示装置１００と同様の効果を奏することができる。
【０１１４】
〔３〕第３の変形例
本発明の第３の変形例に係る表示装置は、上述した第１の変形例と第２の変形例とを組み合わせた形態とすることもできる。上記の構成であっても、本発明の第３の変形例に係る表示装置は、上述した表示装置１００と同様の効果を奏することができる。
【０１１５】
以上、本発明の実施形態では、表示装置１００を挙げて説明したが、本発明の実施形態は、かかる形態に限られず、例えば、有機ＥＬディスプレイ、ＬＣＤなどの電流量に応じて発光する発光素子を備える表示装置に適用することができる。
【０１１６】
また、本発明の実施形態は、テレビジョン（Television）放送を受信する受信装置、携帯電話などの携帯型通信装置、ＰＣ（Personal  Computer）やサーバ（Server）などのコンピュータなどの電子機器に適用することができる。
【０１１７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１８】
例えば、図４に示す表示装置１００では、共通電源１１０と第２電源１１２とを備える構成を示したが、本発明の実施形態は、かかる構成に限られない。例えば、本発明の実施形態に係る表示装置は、共通電源と第２電源とを一体の電源として備えることもできる。
【０１１９】
上述した構成は、本発明の実施形態の一例を示すものであり、当然に、本発明の技術的範囲に属するものである。
【図面の簡単な説明】
【０１２０】
【図１】従来の表示装置を示す説明図である。
【図２】従来の表示装置が備えるドライブスキャナの構成例を示す説明図である。
【図３】従来の表示装置が備えるバッファの構成例を示す説明図である。
【図４】本発明の実施形態に係る表示装置を示す説明図である。
【図５】本発明の実施形態に係る画素の回路構成例を示す説明図である。
【図６】本発明の実施形態に係る画素の駆動を説明するための第１の説明図である。
【図７Ａ】本発明の実施形態に係る画素の駆動を説明するための第２の説明図である。
【図７Ｂ】本発明の実施形態に係る画素の駆動を説明するための第３の説明図である。
【図８】本発明の実施形態に係る画素における補正の効果を説明するための説明図である。
【図９】本発明の実施形態に係る表示装置が備えるドライブスキャナの構成例を示す説明図である。
【図１０】本発明の実施形態に係る表示装置が備えるバッファの構成例を示す説明図である。
【符号の説明】
【０１２１】
１０、１００  表示装置
１２、１０２  表示部
１４、１０４  水平セレクタ
１６、１０６  ライトスキャナ
１８、１０８  ドライブスキャナ
２０、１１０  共通電源
１１２        第２電源
【図１】
2009128524.tif 000003
【図２】
2009128524.tif 000004
【図３】
2009128524.tif 000005
【図４】
2009128524.tif 000006
【図５】
2009128524.tif 000007
【図６】
2009128524.tif 000008
【図７Ａ】
2009128524.tif 000009
【図７Ｂ】
2009128524.tif 000010
【図８】
2009128524.tif 000011
【図９】
2009128524.tif 000012
【図１０】
2009128524.tif 000013